(57)【特許請求の範囲】
【請求項１】
リーダライタのアンテナに発生させた磁界発生領域をＲＦタグに対応させたとき、その対応したＲＦタグのアンテナに発生する電力で該ＲＦタグの制御回路を駆動してリーダライタにＲＦタグの情報を送信させるＲＦタグの情報処理装置である被せ型リーダライタであって、
前記ＲＦタグを取付けた略同じ大きさの物品を複数個積重ねて載置した積層物品群の外周囲を、空間を隔てて環状に囲む枠体を有し、
該枠体に沿って環状に周設される磁界発生用のアンテナと、
該枠体を前記積層物品群の上方より枠内に通して被せ、情報処理を行うとき、該枠体を前記積層物品群の物品全てが前記アンテナの前記磁気発生領域内に入る高さ位置に定めて停止させる高さ保持手段とを一体的に備えた
被せ型リーダライタ。
【請求項２】
前記高さ保持手段は、前記枠体の高さ位置を最も頻度が高い個数重ねた積層物品群の中間高さ位置に保持することを特徴とする
請求項１記載の被せ型リーダライタ。
【請求項３】
前記高さ保持手段として、積層物品群を載せる載置面を高さ基準位置にして、前記枠体の高さ位置を最も頻度が高い個数重ねた積層物品群の中間高さ位置に保持させる保持部材を備えたことを特徴とする
請求項１記載の被せ型リーダライタ。
【請求項４】
前記保持部材は、前記枠体もしくは枠体の外方に延出する取っ手の下面に軸支され、
該枠体もしくは該取っ手に平行する水平位置と略真下に垂下して載置面に接触する垂直位置とを、回動自由に折畳み許容して備えられた位置決めバーであることを特徴とする
請求項３記載の被せ型リーダライタ。
【請求項５】
前記保持部材は、前記枠体から上下方向に離して下側に連設され、磁界発生用のアンテナを環状に周設された第二の枠体であることを特徴とする
請求項３記載の被せ型リーダライタ。
【請求項６】
前記高さ保持手段として、積層物品群の物品最上面を高さ基準位置にして、前記枠体の高さ位置を最も頻度が高い個数重ねた積層物品群の中間高さ位置に保持する保持部材を前記枠体に備えたことを特徴とする
請求項１記載の被せ型リーダライタ。
【請求項７】
前記保持部材は、積層物品群の物品最上面の形状に沿って位置決め係止される係止紐であることを特徴とする
請求項６記載の被せ型リーダライタ。
【請求項８】
前記保持部材は、前記枠体から上側に起立した複数本の支柱と、該支柱を介して取り付けられ、積層物品群の物品最上面に前記物品と略同じ大きさに接して位置決め係止される位置決め固定板であることを特徴とする
請求項６記載の被せ型リーダライタ。
【請求項９】
少なくとも読取ったときのＲＦタグの情報を出力する出力手段を備えた
請求項１から８のいずれか１つに記載の被せ型リーダライタ。
【請求項１０】
ＲＦタグの情報を表示する表示器を、前記枠体の外方に突出する取っ手に備えた
請求項１から８のいずれか１つに記載の被せ型リーダライタ。
【発明の詳細な説明】
【技術分野】
【０００１】
この発明は、例えば複数の物品の情報を一括して読取るＲＦタグの情報処理方法に関し、さらに詳しくは携帯利用可能にして積重ねた物品の情報を一瞬に読取る被せ型リーダライタに関する。
【背景技術】
【０００２】
従来、この種のリーダライタのアンテナとＲＦＩＤタグ(Radio  Frequency  IDentification  Tag、以下ＲＦタグと称す)との間では、例えば特許文献１に開示される通信方法によって情報の送受信が行われている。
【０００３】
このような通信方法は、通常、リーダライタ(識別装置)のアンテナからは、所定周波数の搬送波を変調して生成された送信信号をＲＦタグに送信する。一方、ＲＦタグでは、識別装置のアンテナから送信された信号に基づいて、データの読出し書込みを行うとともに電力の供給を受ける。識別装置のアンテナから送信された信号に対して、ＲＦタグのアンテナの負荷インピーダンスを読出されたデータに応じて変化させることにより、ＲＦタグから識別装置のアンテナに所望のデータを送出する、いわゆるロードスイッチング方式によって通信を行うことができる。
【０００４】
このようにしてアンテナとＲＦタグとの間で通信を行い、必要な情報を識別装置がアンテナを介して取得することにより、例えば図書の貸出または返却手続を行っている。
【０００５】
しかしながら、複数冊の図書が積重ねられた場合には、図書に固定されたＲＦタグも複数枚が、ある間隔をおいて積重ねられる。このように配置された複数枚のＲＦタグを固定されたアンテナとの間で通信を行う際に、アンテナからの距離が長くなり通信距離が不足するＲＦタグが現れる。
【０００６】
具体的には、固定されたアンテナコイルに、図１６に示すような磁力線が発生し、このような磁界が生じている場合に、アンテナコイルに対してある間隔を隔てＡ部，Ｂ部，Ｃ部，Ｄ部，Ｅ部に配置された複数のＲＦタグ（ＲＦタグはアンテナコイルに平行に配置されているものとする。）と鎖交する磁界の強さは各部における磁界ベクトルの大きさで表される。ここで、ＲＦタグがＡ部にある場合には、アンテナコイル内部で発生する最大磁界がＲＦタグと鎖交するため、ＲＦタグに供給されるエネルギーは最大となる。Ｂ部、Ｃ部とアンテナコイルに直交する方向にアンテナコイルから遠ざかるにつれて磁界の強さが弱まるためＲＦタグに供給されるエネルギーは弱くなる。また、Ｄ部、Ｅ部とアンテナコイルに平行な方向にアンテナコイルの中央位置から遠ざかるにつれてＲＦタグと鎖交する磁界成分が減っていくため、ＲＦタグに供給されるエネルギーは弱くなる。
【０００７】
このように、固定したアンテナに対して、ある距離をもって配置された複数のＲＦタグのうちには通信距離が不足するＲＦタグが現れる。このため、全てのＲＦタグを正確に読取ることができなかった。
【０００８】
このような点を鑑みて近年、略同一の物品を積重ねた積層物品群を一括して読取る手段として、例えば先行出願の特許文献２に開示されているような非接触識別システムの通信方法が知られている。
【０００９】
この非接触識別システムの通信方法では、中央部に矩形の大きな中空の開口部を有する支持台(識別装置)を設け、この支持台にはアンテナコイルを巻回しておき、この支持台の開口部にＲＦタグを付設した図書等の複数冊を積重ねて置くことにより、一括して読取り書込みしていた。
【００１０】
しかし、これらの物品を積重ねて一括して読取る場合であっても、設置された識別装置の開口部に積層した物品を置いて読取る構成のため、物品をいちいち開口部に入れ、読取り後に取出すという物品の移動操作を要して手間がかかり、能率よく読取ることができなかった。
【００１１】
このため、識別装置側を移動させて読取るように構成することも考えられるが、この場合は識別装置を持ち運びする移動量および物品読取り時の手動操作が大がかりになるなど簡単に利用できなかった。
【００１２】
例えば、回転寿司の客別に積重ねられた皿の数を計数する場合について、その利用可否を考察してみた場合、客別に積重ねられた各々の積層皿群の位置まで識別装置をいちいち持ち運びしなければならず、さらに枚数測定時においても、汚れた皿を掴んで店員が識別装置の開口部に移動操作するか、あるいは識別装置を上下動させて読取り操作しなければならず、多大な作業労力や手間がかかる問題を有して実現できなかった。
【００１３】
【特許文献１】特許第２６８３３０５号
【特許文献２】特開２００２−４９８９８号
【発明の開示】
【発明が解決しようとする課題】
【００１４】
そこでこの発明は、携帯利用可能に設けて積層物品群を移動させる必要がなく、上下方向に重なった積層物品群の全ての物品の情報を一括して収集する能率のよい被せ型リーダライタを提供することを目的とする。
【課題を解決するための手段】
【００１５】
この発明の構成は、リーダライタのアンテナに発生させた磁界発生領域をＲＦタグに対応させたとき、その対応したＲＦタグのアンテナに発生する電力で該ＲＦタグの制御回路を駆動してリーダライタにＲＦタグの情報を送信させるＲＦタグの情報処理装置である被せ型リーダライタであって、前記ＲＦタグを取付けた略同じ大きさの物品を複数個積重ねて載置した積層物品群の外周囲を、空間を隔てて環状に囲む枠体を有し、該枠体に沿って環状に周設される磁界発生用のアンテナと、該枠体を前記積層物品群の上方より枠内に通して被せ、情報処理を行うとき、該枠体を前記積層物品群の物品全てが前記アンテナの前記磁気発生領域内に入る高さ位置に定めて停止させる高さ保持手段とを一体的に備えた被せ型リーダライタであることを特徴とする。
【００１６】
この発明によれば、積層物品群に被せ型リーダライタを被せ操作すれば、簡単に物品の情報を読取ることができる。例えば、回転寿司の客別に積重ねられた皿の数を店員が計数する場合に、予め皿にはＲＦタグが貼付けられてあり、これらの客別の積層皿群を上方より被せ型リーダライタをそれぞれ被せ操作するだけで皿の数を読取ることができる。このため、店員は積層皿群を移動させずに簡単に読取り書込み処理できる。さらに、被せ型リーダライタで被せ操作し、情報処理を行うときに、該被せ型リーダライタの高さ保持手段によって、該被せ型リーダライタのアンテナを全物品との通信に適した高さ位置に保持できるため、信頼性の高い安定した通信を確保できる。
【００１７】
さらに、この発明によれば、積層物品群の全物品の情報を読取る場合に、利用者がリーダライタを携帯して虫取り網の如く積層物品群に被せれば、その被せられた積層物品群の全物品をまとめて読取り書込み処理することができる。
【００１８】
さらに、このリーダライタは携帯利用可能であるため、積層物品群が数多く分散していても利用者が被せ操作するだけで能率よく情報収集することができる。
【００１９】
この発明の別の構成では、前記高さ保持手段は、前記枠体の高さ位置を最も頻度が高い個数重ねた積層物品群の中間高さ位置に保持することを特徴とする。
【００２０】
この場合は、積層物品群に被せ型リーダライタを被せ操作したとき、該被せ型リーダライタを最も頻度が高い個数重ねた積層物品群の中間高さ位置に保持するため、該被せ型リーダライタの通信領域の基準位置が積層物品群の中間高さ位置になり、これより上下方向に最も離れた上下端部の物品まで通信領域に入り、上下方向に積重なった全ての物品に対する通信を確保できる。
【００２１】
この発明の別の構成では、前記高さ保持手段として、積層物品群を載せる載置面を高さ基準位置にして、前記枠体の高さ位置を最も頻度が高い個数重ねた積層物品群の中間高さ位置に保持させる保持部材を備えたことを特徴とする。
【００２２】
この場合は、積層物品群を載せるテーブル等の載置面を、被せ型リーダライタの高さ基準位置に設定することにより、被せ型リーダライタを被せ操作したときに、保持部材だけが載置面に接触して被せ型リーダライタを最も頻度が高い個数重ねた積層物品群の中間高さ位置に確保でき、物品には全く触れず、しかも物品を移動させずに読取り書込み処理することができる。
【００２３】
この発明の別の構成では、前記保持部材は、前記枠体もしくは枠体の外方に延出する取っ手の下面に軸支され、該枠体もしくは該取っ手に平行する水平位置と略真下に垂下して載置面に接触する垂直位置とを、回動自由に折畳み許容して備えられた位置決めバーであることを特徴とする。
【００２４】
この場合は、被せ型リーダライタの使用時のみ折畳まれている位置決めバーを枠体または取っ手より引出して使用可能にし、不使用時には保持部材を枠体または取っ手に折畳んで被せ型リーダライタをコンパクトに設けることができる。さらに、取っ手を備えた場合は、この取っ手を自然に掴んで扱い易くなり、また持ち運びし易いため携帯に適している。
【００２５】
この発明の別の構成では、前記保持部材は、前記枠体から上下方向に離して下側に連設され、磁界発生用のアンテナを環状に周設された第二の枠体であることを特徴とする。
【００２６】
この場合は、前記保持部材を、磁界発生用のアンテナを環状に周設し、前記枠体から上下方向に離して下側に連設した第二の枠体で構成することにより、第二の枠体だけが載置面に接触して被せ型リーダライタを最も頻度が高い個数重ねた積層物品群の中間高さ位置に確保できると共に、これらの複数段のアンテナから情報収集することができるため、上下方向に交信距離領域を増やすことができる。また、被せ型リーダライタの交信距離領域が増大するため、正確で信頼性の高い情報が得られる。例えば、上下２段にアンテナを連設した場合であれば、時分割して両方のアンテナから交互に情報収集することができる。
【００２７】
この発明の別の構成では、前記高さ保持手段として、積層物品群の物品最上面を高さ基準位置にして、前記枠体の高さ位置を最も頻度が高い個数重ねた積層物品群の中間高さ位置に保持する保持部材を前記枠体に備えたことを特徴とする。
【００２８】
この場合は、積層物品群の物品最上面を、被せ型リーダライタの高さ基準位置に設定してあるため、被せ型リーダライタを被せ操作すると同時に、この被せ型リーダライタを保持部材によって最も頻度が高い個数重ねた積層物品群の中間高さ位置に保持することができる。このため、被せ型リーダライタを被せ操作した時点で上下方向に重なった全ての物品に対する通信が完結する。
【００２９】
この発明の別の構成では、前記保持部材は、積層物品群の物品最上面の形状に沿って位置決め係止される係止紐であることを特徴とする。
【００３０】
この場合は、被せ型リーダライタを積層物品群に被せ操作したときに、積層物品群の積層形状に沿って係止紐が係止対応し、その物品最上面に係止部材が位置決め係止されるため積層物品群に係止紐が軽く接して、被せ型リーダライタを被せたときの位置決め操作が簡単に行える。さらに、この係止紐の長さを調整すれば、該被せ型リーダライタの高さ位置を自由に調整できる。
【００３１】
この発明の別の構成では、前記保持部材は、前記枠体から上側に起立した複数本の支柱と、該支柱を介して取り付けられ、積層物品群の物品最上面に前記物品と略同じ大きさに接して位置決め係止される位置決め固定板であることを特徴とする。
【００３２】
この場合は、被せ型リーダライタを積層物品群に被せ操作したときに、位置決め固定板が積層物品群の物品最上面に該物品と略同じ大きさに接して係止されるため、被せ型リーダライタはぐらつかず、位置決め固定板を頂点に安定して保持される。
【００３３】
この発明の別の構成では、少なくとも読取ったときのＲＦタグの情報を出力する出力手段を備えたことを特徴とする。
【００３４】
この場合は、被せ型リーダライタがＲＦタグの情報を読取ったとき、その情報を表示出力あるいは音声出力して利用者に知らせることができる。
【００３５】
この発明の別の構成では、ＲＦタグの情報を表示する表示器を、前記枠体の外方に突出する取っ手に備えたことを特徴とする。
【００３６】
この場合は、取っ手の視認し易い位置に表示器を備えてＲＦタグの情報を表示させることができる。このため、利用者は被せ型リーダライタを被せ操作した時点で表示器を見れば、一目で物品の情報を把握することができる。
【発明の効果】
【００３７】
この発明によれば、積層物品群に被せ型リーダライタを被せ操作すれば、簡単に物品の情報を読取ることができる。例えば、回転寿司の客別に積重ねられた皿の数を店員が計数する場合に、予め皿にはＲＦタグが貼付けられてあり、これらの客別の積層皿群を上方より被せ型リーダライタをそれぞれ被せ操作するだけで皿の数を読取ることができる。このため、店員は積層皿群を移動させずに簡単に読取り書込み処理できる。さらに、被せ型リーダライタで被せ操作したときに、該被せ型リーダライタの高さ保持手段によって、該被せ型リーダライタのアンテナを全物品との通信に適した高さ位置に保持できるため、信頼性の高い安定した通信を確保できる。
【００３８】
この発明によれば、積層物品群の全物品の情報を収集する場合に、利用者はリーダライタを虫取り網の如く積層物品群に被せるだけで簡単に読取り書込み処理することができる。さらに、このリーダライタは携帯利用できるため、物品の情報処理位置が制限されず、広域に散在する物品に対して有効に使用できるほか、素早く被せ操作して短時間に数多くの物品の情報を能率よく収集することができる。
【発明を実施するための最良の形態】
【００３９】
積層物品群を内部空間に通して被せ操作できる大きさにリーダライタを環状に形成し、このリーダライタの上下方向に対する通信領域を考慮して該リーダライタを、物品の情報を収集するのに適した高さ位置に設ける。
【実施例１】
【００４０】
この発明の一実施例を以下に図面に基づいて説明する。  
図面は被せ型リーダライタを示し、図１において、この被せ型リーダライタ１１は例えば回転寿司の皿を複数枚積重ねた積層皿群の皿数を一括して計数するような場合に適用するものであって、その主要な部分は枠体１２と、係止紐１３と、取っ手１４と、液晶表示器１５とを備えている。
【００４１】
前記枠体１２は計数対象の積層皿群の上方より被せ操作するため、その皿の外周囲を、空間を隔てて環状に囲むことができる大きさを有している。好ましくは、皿の形状に見合った枠体形状に設ける。例えば、円形皿の場合は、円形の枠体に設けるのが適している。この枠体１２には、図２に示すように、外周溝１６を形成して磁界発生用のアンテナコイルを巻回したアンテナ１７を備えている。
【００４２】
前記係止紐１３は枠体１２の上面に２本の逆Ｕ字形状の係止紐１３を上部で交差させて虫取り網の如く取付けている。この係止紐１３を設けることにより、前記枠体１２を積層皿群(図９および図１０参照)の上方より枠内に通して被せたときに積層皿群の皿最上面の形状に沿って柔軟に係止され、この係止位置によって枠体１２の高さ位置が決まる。
【００４３】
この枠体１２の高さ位置は、１０枚前後重ねられた積層皿群に、被せ型リーダライタ１１を被せ操作したときに枠体１２が積層皿群の略中間高さ位置になるように係止紐１３の紐の長さを設定している。これにより、枠体１２に巻回されたアンテナ１７の通信領域は該アンテナ１７を基準高さとする上下方向に通信領域がとれ、その上下方向に最も離れた上下端部の皿まで通信領域内に入り、上下方向に積重ねられた全ての皿に対する通信を確保する。この場合、積層皿群の枚数を１０枚前後とするのは、客によって積重ねられる積層皿群の最も重ね頻度が高い枚数であるためである。
【００４４】
前記取っ手１４は片手で握り易い棒状を有して枠体１２の外周面の一部に外方に延設し、この取っ手１４を設けることにより被せ操作がし易くなり、さらに片手で掴んで持ち運び易くなり、店内での携帯利用に好適となる。
【００４５】
前記液晶表示器１５は取っ手１４の付け根近くの上面に搭載している。この液晶表示器１５を設けることによって、被せ型リーダライタ１１の被せ操作によって情報収集した皿の数や値段などを表示させることができる。この場合は、積層皿群に対し、店員が被せ型リーダライタ１１を被せ操作した時点で液晶表示器１５を見れば、一目で皿数を把握することができる。このほか、液晶表示器１５に加えてスピーカを併設、あるいは単独に備えることもできる。この場合は、音声により計数した皿数を報知することができる。
【００４６】
図３は被せ型リーダライタ１１の主要な構成を示すブロック図である。制御部３１はアンテナ１７のアンテナコイルに磁界を発生させる。このアンテナ１７から発生させた磁界発生領域を皿と一体のＲＦタグに対応させたとき、その対応したＲＦタグのアンテナコイルに発生する電力で該ＲＦタグの制御回路を駆動して、被せ型リーダライタ１１側にＲＦタグの情報を送信させ、その送信結果を液晶表示器１５に表示させる。
【００４７】
次に、被せ型リーダライタ１１の具体的な構成を図４の制御回路ブロック図を参照して説明する。  
アンテナ１７は、図５にも示すように、アンテナコイル４１とマッチング回路４２からなる。このうち、アンテナコイル４１は導電性の線材によって形成され、アンテナコイル４１の両端部は互いに平行に外方に延伸され、マッチング回路４２を経て、同軸ケーブルによってアンプ４３に接続される。なお、マッチング回路４２はアンテナコイル４１とのケーブル長が短い場合には、マッチング回路４２をアンプ４３側に含めた構成とすることもできる。この場合には、アンテナ１７はアンテナコイル４１部分のみによって形成される。マッチング回路４２は、アンプ４３と接続するフィーダのインピーダンスとアンテナコイル４１のインピーダンスをマッチングさせる回路であり、アンテナコイル４１から延伸された両信号線間に２つの容量可変なコンデンサＣ１，Ｃ２が直列に接続され、両コンデンサＣ１，Ｃ２の接合部が接地された構成を有する。
【００４８】
前記アンテナコイル４１およびマッチング回路４２は、図６に示すように、円形の枠体１２に支持されており、この枠体１２は寄生容量の影響を避けるために誘電率の低い材料、例えば合成樹脂材にて形成する。アンテナコイル４１および枠体１２の中央部には、通信対象であるＲＦタグが取付けられた皿を枠内に通し得る十分な大きさの開口部１２ａを有している。
【００４９】
アンプ４３は、主として、変調回路４４、送信部４５、受信部４６、復調回路４７および入出力ＩＦ（インターフェース）４８からなる。変調回路４４は、制御部３１のＣＰＵ３２から出力された送信すべきデータまたはコマンドに応じて図示しない発振回路において生成された高周波を変調する。送信部４５では、変調回路４４において変調された信号を図示しない増幅回路によって増幅し、アンテナコイル４１を駆動する。アンテナ１７に受信された信号は、受信部４６を介して復調回路４７において復調される。入出力ＩＦ４８は、制御部３１との間での信号の伝送制御を行う。
【００５０】
制御部３１は主として、ＣＰＵ３２、メモリ３３、入出力ＩＦ３４，３５からなる。ＣＰＵ３２は後述するＲＦタグへのデータの書込みまたは読取りを制御する。メモリ３３は、ＲＦタグとの通信を制御するプログラムや処理に用いられるデータ等を格納する。入出力ＩＦ３４は、アンプ４３との間での信号の伝送制御を行い、入出力ＩＦ３５は液晶表示器１５との信号の伝送制御を行う。
【００５１】
図７は皿７１の底面中央部に小さなＲＦタグ７２を貼付けた状態を示し、ここでは略同じ大きさの円形の皿７１を用い、これら同形状の皿７１の全てにデータキャリアとしてのＲＦタグ７２を貼付けている。
【００５２】
図８はＲＦタグ７２の制御回路ブロック図を示し、ＲＦタグ７２は主として、アンテナコイル８１、送受信部８２、電源回路８３、復調回路８４、変調回路８５、メモリ制御部８６およびメモリ８７からなる。アンテナコイル８１によって受信された被せ型リーダライタ１１からの信号は、送受信部８２を介して電源回路８３に出力され、装置各部を駆動するための電力が取出される。また、アンテナコイル８１によって受信された被せ型リーダライタ１１からの信号は、送受信部８２を介して復調回路８４に出力され、復調された信号はメモリ制御部８６に送られる。メモリ制御部８６はバスによってメモリ８７と接続され、制御部３１から与えられたコマンドまたはデータに従ってメモリ８７にデータを書込みまたは読出す。メモリ８７から読出されたデータは、変調回路８５を介して送受信部８２に送られ、アンテナコイル８１を駆動する。ロードスイッチング方式で被せ型リーダライタ１１との通信を行う場合であれば、抵抗とＦＥＴ等のスイッチング素子とが直列に接続した変調回路を構成し、これをアンテナコイル８１に並列に接続し、スイッチング素子によってアンテナコイルの負荷を変化させることにより、データを被せ型リーダライタ１１へ送信する。
【００５３】
このように構成された被せ型リーダライタ１１を用いてＲＦタグの情報を収集する場合の使用方法を図９および図１０の使用動作図を参照して説明する。  
今、回転寿司の店舗内において、客別に積重ねられた皿７１の数を計数する場合、図９に示すように、テーブル上に１０枚程度積重ねられた積層皿群７３に対し、その上方から店員が被せ型リーダライタ１１を被せ操作するだけでよい。この被せ操作したとき、図１０に示すように、枠体１２の開口部１２ａ内に積層皿群７３を通して被さる。その被せ途中で係止紐１３が積層皿群７３の積層形状に沿って係止され、皿７１の最上面に係止紐１３が位置決め係止されたとき、積層皿群７３の略中間高さ位置に枠体１２が位置する。
【００５４】
このため、被せ型リーダライタ１１を被せ操作した時点で、該被せ型リーダライタ１１の枠体１２は積層皿群７３の略中間高さ位置になる。このとき、枠体１２の高さ位置を基準位置として上下方向に最も離れた上下端部の皿７１までの距離が略等しくなり、上下方向に離れた全ての皿７１が同出力でありながら通信領域に入り、全てのＲＦタグ７２との通信距離を確保できる。このため、信頼性の高い安定した情報収集ができる。
【００５５】
この場合は、各々の皿７１に取付けられたＲＦタグ７２も、アンテナコイル４１の移動に伴って、アンテナコイル４１面内あるいはアンテナコイル４１の中央部近傍のアンテナコイル４１に直交する方向の成分が大きい磁界と鎖交する。従って、ＲＦタグ７２にはその位置にかかわらず、所要のエネルギーが供給されるため、いずれのＲＦタグ７２も正確に読取ることができる。
【００５６】
このように、客別の積層皿群７３の全皿枚数の情報を読取る場合に、店員が被せ型リーダライタ１１を携帯して虫取り網の如く積層皿群７３に被せれば、その被せられた積層皿群７３の全皿の枚数をまとめて読取り書込み処理することができる。ことに、積層皿群７３が1つのテーブル上に数個分散しているような場合でも、積層皿群７３毎に素早く被せ操作して読取り書込み処理ができるほか、店舗内で客のテーブル別に積層皿群７３が分散していても、店員は被せ型リーダライタ１１を携帯して客別に瞬時に被せ操作することにより能率よく情報収集することができる。
【実施例２】
【００５７】
図１１はこの発明の他の被せ型リーダライタ１１１を示し、この被せ型リーダライタ１１１は、高さ位置決めバー１１２を取っ手１１３の下面に折畳み許容して設けたものであり、この高さ位置決めバー１１２のほかは実施例１と同じ構成であるため、異なる構成の高さ位置決めバー１１２についてのみ説明する。
【００５８】
この高さ位置決めバー１１２は上端部を取っ手１１３の付け根近くの下面に回動自由に軸支して取付け、この上端軸支部(図面省略)を回動支点に、下端部を取っ手１１３に平行する水平位置と、これより略真下に引出して垂下させた垂直位置との９０度の傾動角度の間で回動自由にして折畳み許容している。
【００５９】
さらに、この高さ位置決めバー１１２の長さは、１０枚程度の積層皿群の中間高さ位置に枠体１１４が位置決めされる長さに設定している。従って、被せ型リーダライタ１１１の使用時のみ折畳まれている高さ位置決めバー１１２を取っ手１１３より引出して使用可能に垂設させる。一方、不使用時には高さ位置決めバー１１２を取っ手１１３に沿って折畳んで被せ型リーダライタ１１１をコンパクトに設けることができる。なお、高さ位置決めバー１１２は折畳まずに垂下状態のまま固定して設けることもできる。
【００６０】
さらに、この高さ位置決めバー１１２を用いた場合は、高さ位置決めバー１１２だけがテーブル等の皿の載置面に接触して、被せ型リーダライタ１１１は皿に一切触れずに積層皿群の中間高さ位置保持できる。このため、被せ型リーダライタ１１１は皿に全く触れず、しかも皿を動かさずに皿の枚数を読取り書込み処理することができる。
【実施例３】
【００６１】
図１２はこの発明の他の被せ型リーダライタ１２１を示し、この被せ型リーダライタ１２１は、高さ位置決め用の位置決め固定板１２２を備えたものであり、位置決め固定板１２２のほかは実施例１と同じ構成であるため、異なる構成の位置決め固定板１２２についてのみ説明する。
【００６２】
この位置決め固定板１２２は計数対象となる皿と略同じ大きさで同形状の円板を用い、枠体１２３の上面周方向に等分配設された４本の支柱１２４を起立して水平に支持している。この場合、皿の上面全体に位置決め固定板１２２が広域に接して皿の上面を安定して係止できる形状に設けている。これにより、被せ型リーダライタ１２１は被せ操作したときにぐらつかず、この位置決め固定板１２２を頂点として被せ型リーダライタ１２１の被せ状態を安定して維持する。また、被せ型リーダライタ１２１を積層皿群の上方より被せ操作したときに、枠体１２３の高さ位置が積層皿群の中間高さ位置になるように支柱１２４の長さを定めている。
【実施例４】
【００６３】
図１３はこの発明の他の被せ型リーダライタ１３１を示し、この被せ型リーダライタ１３１は、上下２段の枠体１３２，１３３を備えたものであり、そのほかの構造は係止紐がない点を除いては実施例１と同じであるため、異なる構成の上下２段の枠体１３２，１３３についてのみ説明する。
【００６４】
この被せ型リーダライタ１３１は、上枠体１３２の下面周方向に等分配設された３本の支柱を垂設して、上枠体１３２と同一の下枠体１３３とを平行させて固定して上下２段に枠体１３２，１３３を連設している。そして、使用時には、この被せ型リーダライタ１３１を積層皿群に被せ操作し、そのときに両枠体１３２，１３３を積層皿群の中間高さ位置に位置させればよい。これにより、下枠体だけが載置面に接触して被せ型リーダライタを最も頻度が高い個数重ねた積層物品群の中間高さ位置に確保できると共に、時分割して上下の両方のアンテナから交互に情報を収集することができる。
【００６５】
この場合は、上下２段の枠体１３２，１３３に備えられた上下のアンテナから情報収集することができるため、上下方向に交信距離領域を増やすことができる。また、被せ型リーダライタの交信距離領域が増大するため、正確で信頼性の高い情報が得られる。
【実施例５】
【００６６】
図１４はこの発明の他の被せ型リーダライタ１４１を示し、この被せ型リーダライタ１４１は楕円形の皿に応じた楕円形の枠体１４２を備えたものであり、この枠体１４２は皿に限らず、その他の種々の対象物品に適用することができ、対象物品の形状に応じた任意の枠体に設けることができる。
【実施例６】
【００６７】
例えば、図１５に示す被せ型リーダライタ１５１の場合、対象物品がビデオテープ、ＤＶＤ、ＣＤなどの長方体物品１５２を有する場合であれば、この被せ型リーダライタ１５１の枠体１５３の形状も長方形状にすれば対処することができる。さらに、この矩形の枠体を有する被せ型リーダライタ１５１の場合も、係止紐、位置決め固定板、高さ位置決めバーなどの高さ保持手段を付設してもよく、また枠体１５３を上下方向に連設して構成することもできる。
【００６８】
この発明の構成と、上述の実施例の構成との対応において、
この発明の物品は、実施例の皿７１に対応し、
以下同様に、
積層物品群は、積層皿群７３に対応し、
高さ保持手段、保持部材は、係止紐１３、高さ位置決めバー１１２および位置決め固定板１２２に対応し、
第二の枠体は下枠体１３３に対応し、
出力手段および表示器は、液晶表示器１５に対応するも、この発明は請求項に示される技術思想に基づいて応用することができ、上述の実施例の構成のみに限定されるものではない。
【図面の簡単な説明】
【００６９】
【図１】実施例１の被せ型リーダライタを示す外観斜視図。
【図２】実施例１の被せ型リーダライタの枠体の要部拡大縦断面図。
【図３】実施例１の被せ型リーダライタの主要構成の制御回路ブロック図。
【図４】実施例１の被せ型リーダライタの制御回路ブロック図。
【図５】実施例１の被せ型リーダライタのアンテナの構成図。
【図６】実施例１の被せ型リーダライタのアンテナコイルの配置形状を示す説明図。
【図７】実施例１のＲＦタグを取付けた皿を下方から見て示す外観斜視図。
【図８】実施例１の皿に取付けられたＲＦタグの制御回路ブロック図。
【図９】実施例１の被せ型リーダライタの被せ操作初期状態を示す外観斜視図。
【図１０】実施例１の被せ型リーダライタの被せ操作完了状態を示す外観斜視図。
【図１１】実施例２の折畳み用の高さ位置決めバーを備えた被せ型リーダライタの外観斜視図。
【図１２】実施例３の位置決め固定板を備えた被せ型リーダライタの外観斜視図。
【図１３】実施例４の上下２段の枠体を備えた被せ型リーダライタの外観斜視図。
【図１４】実施例５の楕円形の枠体を有する被せ型リーダライタを示す外観斜視図。
【図１５】実施例６の長方形の枠体を有する被せ型リーダライタの使用状態を示す外観斜視図。
【図１６】アンテナコイルが発生する磁力線を模式的に示した説明図。
【符号の説明】
【００７０】
１１、１１１、１２１、１３１、１４１、１５１…被せ型リーダライタ
１２、１１４、１２３、１３２、１３３、１４２、１５３…枠体
１３…係止紐
１４、１１３…取っ手
１５…液晶表示器
１７…アンテナ
７１…皿
７２…ＲＦタグ
７３…積層皿群
１１２…高さ位置決めバー
１２２…位置決め固定板
【要約】
【課題】
この発明は、積層物品群を移動させる必要がなく、また積層物品群に触れずに積層物品群の全ての物品を読取り書込み処理することができる能率のよい被せ型情報処理方法および被せ型リーダライタを提供することを目的とする。
【解決手段】
この発明は、ＲＦタグを複数個の略同じ大きさの物品にそれぞれ取付け、前記ＲＦタグを取付けた物品の複数個を積重ねた積層物品群の上方よりリーダライタの環状のアンテナを、該アンテナの環状枠内に通して被せ操作することにより前記積層物品群の全物品の情報を一括して読取り書込み処理する被せ型の情報処理である。
【選択図】  図１
【図１】
0003617525.tif 000002
【図２】
0003617525.tif 000003
【図３】
0003617525.tif 000004
【図４】
0003617525.tif 000005
【図５】
0003617525.tif 000006
【図６】
0003617525.tif 000007
【図７】
0003617525.tif 000008
【図８】
0003617525.tif 000009
【図９】
0003617525.tif 000010
【図１０】
0003617525.tif 000011
【図１１】
0003617525.tif 000012
【図１２】
0003617525.tif 000013
【図１３】
0003617525.tif 000014
【図１４】
0003617525.tif 000015
【図１５】
0003617525.tif 000016
【図１６】
0003617525.tif 000017